(57)【要約】【課題】なりすましによる迷惑メールの受信を有効に防止することができる電子メールシステム及び受信側メールサーバを提供する。【解決手段】  送信側メールサーバ２は、送信元側から電子メールを受信した場合、電子メールのパスワードを生成するための生成ルールを用いてパスワードを生成し、生成したパスワードを付加した電子メールを送信先側へ送信する。他方、受信側メールサーバ１は、送信側メールサーバ２から送信された電子メールを受信した場合、予め設定されている生成ルールを用いてパスワードを生成し、その生成したパスワードと電子メールに付加されているパスワードとを照合し、その照合に成功した場合、電子メールを送信先側へ送信する。【選択図】図１
2019145001.tif 000002
【特許請求の範囲】
【請求項１】
電子メールの送信側メールサーバ及び受信側メールサーバを備える電子メールシステムにおいて、
前記送信側メールサーバは、
電子メールのパスワードを生成するための生成ルールを設定する第１設定手段と、
送信元側から電子メールを受信した場合、前記第１設定手段によって設定された生成ルールを用いてパスワードを生成する第１生成手段と、
前記第１生成手段によって生成されたパスワードを付加した電子メールを送信先側へ送信する第１送信手段と
を具備し、
前記受信側メールサーバは、
電子メールのパスワードを生成するための生成ルールを設定する第２設定手段と、
前記送信側メールサーバから送信された電子メールを受信した場合、前記第２設定手段によって設定された生成ルールを用いてパスワードを生成する第２生成手段と、
前記電子メールに付加されているパスワードと、前記第２生成手段によって生成されたパスワードとを照合する照合手段と、
前記照合手段によって照合に成功した場合、前記電子メールを送信先側へ送信する第２送信手段と
を具備することを特徴とする、電子メールシステム。
【請求項２】
前記第１設定手段及び前記第２設定手段は、送信側アドレスと受信側アドレスとの組毎に定められる生成ルールを設定するように構成されている、
請求項１に記載の電子メールシステム。
【請求項３】
前記第１設定手段及び前記第２設定手段は、電子メールの送信先側から、前記生成ルールの設定を受け付けるように構成されている、
請求項２に記載の電子メールシステム。
【請求項４】
前記送信側メールサーバ及び前記受信側メールサーバは、
前記生成ルールの設定をする権限を前記送信先側が有しているか否かを判定する判定手段をさらに具備し、
前記第１設定手段及び前記第２設定手段は、前記判定手段によって前記送信先側が前記権限を有していると判定された場合に、前記生成ルールの設定を受け付けるように構成されている、
請求項３に記載の電子メールシステム。
【請求項５】
前記第１設定手段及び前記第２設定手段は、電子メールの送信元側から、前記生成ルールの設定を受け付けるように構成されている、
請求項２に記載の電子メールシステム。
【請求項６】
前記送信側メールサーバ及び前記受信側メールサーバは、
前記生成ルールの設定をする権限を前記送信元側が有しているか否かを判定する判定手段をさらに具備し、
前記第１設定手段及び前記第２設定手段は、前記判定手段によって前記送信元側が前記権限を有していると判定された場合に、前記生成ルールの設定を受け付けるように構成されている、
請求項５に記載の電子メールシステム。
【請求項７】
送信側メールサーバと通信可能に接続される受信側メールサーバにおいて、
電子メールのパスワードを生成するための生成ルールを設定する設定手段と、
前記設定手段によって設定された生成ルールと対応する生成ルールにより生成されたパスワードが付加されている電子メールを前記送信側メールサーバから受信した場合、前記設定された生成ルールを用いてパスワードを生成する生成手段と、
前記電子メールに付加されているパスワードと、前記生成手段によって生成されたパスワードとを照合する照合手段と、
前記照合手段によって照合に成功した場合、前記電子メールを送信先側へ送信する送信手段と
を備えることを特徴とする、受信側メールサーバ。
【発明の詳細な説明】
【技術分野】
【０００１】
本発明は、迷惑メールの受信を防止する電子メールシステム及び受信側メールサーバ、特になりすましによる迷惑メールの受信を防止する電子メールシステム及び受信側メールサーバに関する。
【背景技術】
【０００２】
近年、電子メールの普及に伴い、迷惑メール対策の重要性が高まっている。例えば、特許文献１には、送信側メールサーバ及び受信側メールサーバが、送信元及び送信先のメールアドレスの組と送信用パスワードとを対応付けて記憶しておき、この送信用パスワードを用いて迷惑メールの取扱いを決定する電子メールシステムが開示されている。この電子メールシステムでは、送信側メールサーバが送信用パスワードを書き込んだ固有のヘッダーを電子メールに付加した上で受信側メールサーバに転送し、他方、受信側メールサーバがその電子メールの固有のヘッダーに書き込まれた送信用パスワードと記憶している送信用パスワードとが一致するか否かを判定し、一致する場合には迷惑メールではないと判断して受信ユーザのメールアドレス宛に電子メールを送信する。ここで、送信用パスワードが一致しない場合、受信側メールサーバは、一時的エラーを送信側メールサーバに通知するとともに再送を待機する一方、受信ユーザ端末に対して送信元メールアドレスを通知して受信を許可するか否かを問い合わせる。その結果、受信ユーザによる許可が得られた場合、受信側メールサーバは再送された電子メールを配信し、許可が得られなかった場合は送信側メールサーバに対してエラーを返す。これにより、送信用パスワードによる認証がなされず、しかも受信ユーザによる許可が得られなかった電子メールについては、受信ユーザ側に送られることがなく、迷惑メールを受け取ることが防止される。
【先行技術文献】
【特許文献】
【０００３】
【特許文献１】特開２０１１−１８０８９８号公報
【発明の概要】
【発明が解決しようとする課題】
【０００４】
しかしながら、上記の従来の電子メールシステムの場合、送信用パスワードを不正に取得した者がその送信用パスワードを固有のヘッダーに書き込んだ迷惑メールを生成し、これを受信側メールサーバに送信すると、受信側メールサーバにて送信用パスワードが一致することになるため、迷惑メールが受信ユーザ側に送られてしまうという問題がある。
【０００５】
本発明は斯かる事情に鑑みてなされたものであり、その主たる目的は、上記のような課題を解決することができる電子メールシステム及び受信側メールサーバを提供することにある。
【課題を解決するための手段】
【０００６】
上述した課題を解決するために、本発明の一の態様の電子メールシステムは、電子メールの送信側メールサーバ及び受信側メールサーバを備える電子メールシステムにおいて、前記送信側メールサーバは、電子メールのパスワードを生成するための生成ルールを設定する第１設定手段と、送信元側から電子メールを受信した場合、前記第１設定手段によって設定された生成ルールを用いてパスワードを生成する第１生成手段と、前記第１生成手段によって生成されたパスワードを付加した電子メールを送信先側へ送信する第１送信手段とを具備し、前記受信側メールサーバは、電子メールのパスワードを生成するための生成ルールを設定する第２設定手段と、前記送信側メールサーバから送信された電子メールを受信した場合、前記第２設定手段によって設定された生成ルールを用いてパスワードを生成する第２生成手段と、前記電子メールに付加されているパスワードと、前記第２生成手段によって生成されたパスワードとを照合する照合手段と、前記照合手段によって照合に成功した場合、前記電子メールを送信先側へ送信する第２送信手段とを具備することを特徴とする。
【０００７】
前記態様において、前記第１設定手段及び前記第２設定手段は、送信側アドレスと受信側アドレスとの組毎に定められる生成ルールを設定するように構成されていてもよい。
【０００８】
また、前記態様において、前記第１設定手段及び前記第２設定手段は、電子メールの送信先側から、前記生成ルールの設定を受け付けるように構成されていてもよい。
【０００９】
また、前記態様において、前記送信側メールサーバ及び前記受信側メールサーバは、前記生成ルールの設定をする権限を前記送信先側が有しているか否かを判定する判定手段をさらに具備し、前記第１設定手段及び前記第２設定手段は、前記判定手段によって前記送信先側が前記権限を有していると判定された場合に、前記生成ルールの設定を受け付けるように構成されていてもよい。
【００１０】
また、前記態様において、前記第１設定手段及び前記第２設定手段は、電子メールの送信元側から、前記生成ルールの設定を受け付けるように構成されていてもよい。
【００１１】
また、前記態様において、前記送信側メールサーバ及び前記受信側メールサーバは、前記生成ルールの設定をする権限を前記送信元側が有しているか否かを判定する判定手段をさらに具備し、前記第１設定手段及び前記第２設定手段は、前記判定手段によって前記送信元側が前記権限を有していると判定された場合に、前記生成ルールの設定を受け付けるように構成されていてもよい。
【００１２】
また、本発明の受信側メールサーバは、送信側メールサーバと通信可能に接続される受信側メールサーバにおいて、電子メールのパスワードを生成するための生成ルールを設定する設定手段と、前記設定手段によって設定された生成ルールと対応する生成ルールにより生成されたパスワードが付加されている電子メールを前記送信側メールサーバから受信した場合、前記設定された生成ルールを用いてパスワードを生成する生成手段と、前記電子メールに付加されているパスワードと、前記生成手段によって生成されたパスワードとを照合する照合手段と、前記照合手段によって照合に成功した場合、前記電子メールを送信先側へ送信する送信手段とを備えることを特徴とする。
【発明の効果】
【００１３】
本発明に係る電子メールシステム及び受信側メールサーバによれば、特になりすましによる迷惑メールの受信を有効に防止することが可能になる。
【図面の簡単な説明】
【００１４】
【図１】本発明の実施の形態１に係る電子メールシステム及びその通信先の構成を示すブロック図。
【図２】本発明の実施の形態１に係る受信側メールサーバの構成を示すブロック図。
【図３】本発明の実施の形態１に係る受信側メールサーバに設けられているアドレスデータベースのレイアウトの一例を示す図。
【図４】本発明の実施の形態１に係る送信側メールサーバの構成を示すブロック図。
【図５】本発明の実施の形態１に係る受信側メールサーバ及びユーザ端末によって実行される生成ルール設定処理の手順を示すフローチャート。
【図６】本発明の実施の形態１に係る送信側メールサーバによって実行される電子メール受信処理の手順を示すフローチャート。
【図７】本発明の実施の形態１に係る受信側メールサーバによって実行される電子メール受信処理の手順を示すフローチャート。
【発明を実施するための形態】
【００１５】
以下、本発明の好ましい実施の形態について、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１６】
（実施の形態１）
［電子メールシステムの構成］
図１は、本発明の実施の形態に係る電子メールシステム及びその通信先の構成を示すブロック図である。本実施の形態の電子メールシステムは、図１における受信側メールサーバ（以下、「受信サーバ」という）１と送信側メールサーバ（以下、「送信サーバ」という）２で構成されている。これらの受信サーバ１及び送信サーバ２は、電子メールの送受信を行う各ユーザ側に設けられている複数のユーザ端末３，３，…と、インターネット１０１を介して通信可能に接続されている。ユーザ端末３，３，…は、例えばパーソナルコンピュータ、携帯電話機及びタブレット端末等の通信機能を有する装置で構成される。
【００１７】
［受信側メールサーバの構成］
以下、上述した受信サーバ１の詳細な構成について説明する。
図２は、受信サーバ１の構成を示すブロック図である。図２に示すとおり、コンピュータ（受信サーバ）１は、ＣＰＵ１１、ＲＯＭ１２、ＲＡＭ１３、ハードディスク１４、及び通信インタフェース（Ｉ／Ｆ）１５を備えており、これらのＣＰＵ１１、ＲＯＭ１２、ＲＡＭ１３、ハードディスク１４、及び通信Ｉ／Ｆ１５は、バス１６によって接続されている。
【００１８】
ＣＰＵ１１は、ＲＡＭ１３にロードされた各種のコンピュータプログラムを実行する。これにより、コンピュータ１が本実施の形態の受信サーバ１として機能することになる。
【００１９】
ＲＯＭ１２は、マスクＲＯＭ、ＰＲＯＭ（Programmable ROM）、ＥＰＲＯＭ（Erasable PROM）、又はＥＥＰＲＯＭ（Electrically Erasable PROM）等によって構成されており、ＣＰＵ１１にて実行されるコンピュータプログラム及びその実行の際に用いられるデータ等が記憶されている。
【００２０】
ＲＡＭ１３は、ＳＲＡＭ又はＤＲＡＭなどによって構成されている。このＲＡＭ１３は、ハードディスク１４に記憶されている各種のコンピュータプログラムの読み出し等に用いられる。また、ＣＰＵ１１が各種のコンピュータプログラムを実行するときに、ＣＰＵ１１の作業領域としても利用される。
【００２１】
ハードディスク１４には、ＣＰＵ１１に実行させるための各種のコンピュータプログラム及び当該コンピュータプログラムの実行に用いられるデータ等が予めインストールされている。また、このハードディスク１４には、送信側アドレスと受信側アドレスとの組が格納されるアドレスデータベース（ＤＢ）１４Ａと、パスワードの生成ルールが格納される生成ルールデータベース（ＤＢ）１４Ｂと、生成ルールの設定権限に関する情報が格納される設定権限データベース（ＤＢ）１４Ｃと、電子メールが格納されるメールデータベース（ＤＢ）１４Ｄとが設けられている。これらの各データベースの詳細については後述する。
【００２２】
さらに、ハードディスク１４には、例えば米マイクロソフト社が製造販売するWindows（登録商標）などのマルチタスクオペレーティングシステムがインストールされている。以下の説明においては、各種のコンピュータプログラムが当該オペレーティングシステム上で動作するものとしている。
【００２３】
通信Ｉ／Ｆ１５は、インターネット１０１を介して受信サーバ１が外部の装置と通信するためのインタフェース装置である。受信サーバ１は、この通信Ｉ／Ｆ１５を介して、送信サーバ２及びユーザ端末３，３，…との間で各種データの送受信を行う。
【００２４】
以下、ハードディスク１４に設けられている各データベースの詳細について説明する。
（Ａ）アドレスＤＢ１４Ａ
図３は、受信サーバ１に設けられているアドレスＤＢ１４Ａのレイアウトの一例を示す図である。図３に示すように、アドレスＤＢ１４Ａは、登録されている送信側アドレスと受信側アドレスとの組を識別する登録ＩＤが格納される登録ＩＤフィールド１１１、送信側アドレスが格納される送信側アドレスフィールド１１２、及び受信側アドレスが格納される受信側アドレスフィールド１１３を有している。このアドレスＤＢ１４Ａには、電子メールの送信者及び／又は受信者によって提供された送信側アドレスと受信側アドレスとの組が格納されている。
【００２５】
（Ｂ）生成ルールＤＢ１４Ｂ
生成ルールＤＢ１４Ｂには、パスワードを生成する生成ルールが格納されている。この生成ルールは、所定の手順により自動的にパスワードを生成可能なルールであって、その都度異なるパスワードを生成することができるものである。具体的には、例えば電子メールの送信時刻に所定の処理を施すことによりパスワードを生成するルール等が想定される。生成ルールＤＢ１４Ｂでは、生成ルールが、アドレスＤＢ１４Ａに格納されている送信側アドレスと受信側アドレスとの組毎に規定されている。
【００２６】
（Ｃ）設定権限ＤＢ１４Ｃ
生成ルールＤＢ１４Ｂに格納される生成ルールは、後述するように、設定権限を有する受信者によって設定される。設定権限ＤＢ１４Ｃには、その設定権限に関する情報が格納されている。具体的には、各ユーザが当該設定権限を有しているか否かを示す情報が格納されている。
【００２７】
（Ｄ）メールＤＢ１４Ｄ
メールＤＢ１４Ｄには、送信サーバ２から転送されてきた電子メールが格納される。但し、後述するように、受信サーバ１においてパスワードの一致が確認できた場合にのみ電子メールが格納される。
【００２８】
［送信側メールサーバの構成］
図４は、送信サーバ２の構成を示すブロック図である。送信サーバ２の構成は、上述した受信サーバ１の場合と同様である。そのため、図４において、図２に示す受信サーバ１の各構成と対応する符号を付し、詳細な説明は省略する。なお、送信サーバ２が備える生成ルールＤＢ２４Ｄに格納される生成ルールは、受信サーバ１が備える生成ルールＤＢ１４Ｄに格納される生成ルールと同一である。
【００２９】
［電子メールシステムの動作］
次に、上述したように構成された本実施の形態の電子メールシステムの動作について、フローチャート等を参照しながら説明する。以下では、（１）パスワードの生成ルールを設定するための生成ルール設定処理、（２）送信元側から送られてきた電子メールを送信サーバ２が受信する際の第１電子メール受信処理、及び（３）送信サーバ２から転送された電子メールを受信サーバ１が受信する際の第２電子メール受信処理の各処理に分けて、詳細を説明する。
【００３０】
（１）生成ルール設定処理
図５は、本実施の形態の受信サーバ１及びユーザ端末３によって実行される生成ルール設定処理の手順を示すフローチャートである。特定の送信側アドレスからの電子メールの受信を希望するユーザ（以下、「受信者」という）は、その送信側アドレスと受信者に係る電子メールアドレス（受信側アドレス）との組、及びパスワードの生成ルールを、ユーザ端末３に対して入力する。ユーザ端末３は、このようにして入力された送信側アドレスと受信側アドレスとの組及び生成ルールを含む生成ルール設定要求を、受信サーバ１に対して送信する（Ｓ１０１）。
【００３１】
受信サーバ１は、ユーザ端末３から送信された生成ルール設定要求を受信すると（Ｓ２０１）、設定権限ＤＢ１４Ｃを参照し、当該要求を行った受信者が生成ルールの設定権限を有しているか否かを判定する（Ｓ２０２）。ここで、設定権限を有していないと判定した場合（Ｓ２０２でＮＯ）、受信サーバ１は、生成ルールの設定ができないことを示す設定不可情報をユーザ端末３に対して送信する（Ｓ２０３）。この場合、ユーザ端末３が設定不可情報を受信して（Ｓ１０２）、これを表示部に表示し（Ｓ１０３）、処理が終了する。
【００３２】
他方、ステップＳ２０２において設定権限を有していると判定した場合（Ｓ２０２でＹＥＳ）、受信サーバ１は、生成ルール設定要求に含まれる生成ルールを、同じく含まれる送信側アドレスと受信側アドレスとの組に紐付けて、生成ルールＤＢ１４Ｂに登録する（Ｓ２０４）。次に、受信サーバ１は、生成ルールの設定が完了したことを示す設定完了情報をユーザ端末３に送信する（Ｓ２０５）。ユーザ端末３は、この設定完了情報を受信すると（Ｓ１０４）、それを表示部に表示する（Ｓ１０５）。これにより、受信者は、生成ルールの設定が行われたことを確認することができる。
【００３３】
上記のとおり、本実施の形態においては、受信者が生成ルールを決めているが、これに限定されるわけではない。例えば、受信サーバ１及び送信サーバ２が複数の生成ルールを受信者に提示し、その中から受信者が特定の生成ルールを選択するようにしてもよい。
【００３４】
上記の生成ルール設定処理により受信サーバ１に生成ルールが登録されるが、本実施の形態の場合、送信サーバ２においても、同一の生成ルールを設定する必要がある。そのため、受信者は、ユーザ端末３を用いて送信サーバ２にアクセスし、上記と同様にして生成ルール設定要求を送信サーバ２に送信する。これにより、送信サーバ２とユーザ端末３との間で、上記の生成ルール設定処理と同様の処理が実行される。その結果、受信サーバ１の生成ルールＤＢ１４Ｂに格納される生成ルールと同じ生成ルールが、送信サーバ２の生成ルールＤＢ２４Ｂに格納されることになる。このように受信サーバ１及び送信サーバ２の両方に同一の生成ルールが登録された後、下記の第１及び第２電子メール受信処理が実行される。
【００３５】
（２）第１電子メール受信処理
電子メールの送信を行うユーザ（以下、「送信者」という）は、ユーザ端末３に対して、受信側アドレスを指定した上で電子メールの送信を指示する。この指示を受け付けたユーザ端末３は、送信者に係る電子メールアドレスである送信側アドレスと受信側アドレスとを含む電子メールを送信サーバ２に対して送信し、送信サーバ２はその電子メールを受信する。以下、その受信の際に実行される第１電子メール受信処理の詳細について説明する。
【００３６】
図６は、本実施の形態の送信サーバ２によって実行される第１電子メール受信処理の手順を示すフローチャートである。図６に示すとおり、送信サーバ２はまず、送信者について認証処理を実行する（Ｓ３０１）。この認証処理は、ユーザ端末３から受信したユーザＩＤ及びパスワードと登録済みのユーザＩＤ及びパスワードとの照合により行われる。次に、送信サーバ２は、認証処理の結果に基づいて、認証に成功したか否かを判定する（Ｓ３０２）。ここで、認証に失敗したと判定した場合（Ｓ３０２でＮＯ）、送信サーバ２は、電子メールを受信することができないことを示す受信拒否情報を送信者側のユーザ端末３に対して送信し（Ｓ３０３）、処理を終了する。
【００３７】
他方、ステップＳ３０２において認証に成功したと判定した場合（Ｓ３０２でＹＥＳ）、送信サーバ２は、ユーザ端末３から電子メールを受信する（Ｓ３０４）。次に、送信サーバ２は、受信した電子メールの送信側アドレスと受信側アドレスとの組と対応付けられている生成ルールが、生成ルールＤＢ２４Ｂに登録されているか否かを判定する（Ｓ３０５）。ここで登録されていないと判定した場合（Ｓ３０５でＮＯ）、送信サーバ２は、受信拒否情報をユーザ端末３に対して送信し（Ｓ３０３）、処理を終了する。
【００３８】
ステップＳ３０５において生成ルールが登録されていると判定した場合（Ｓ３０５でＹＥＳ）、送信サーバ２は、その生成ルールを用いてパスワードを生成する（Ｓ３０６）。次に、送信サーバ２は、生成したパスワードを、ステップＳ３０４にて受信した電子メールに付加し（Ｓ３０７）、その電子メールを受信側アドレス宛に送信する（Ｓ３０８）。
【００３９】
（３）第２電子メール受信処理
上記の第１電子メール受信処理により、パスワードが付加された電子メールが、インターネット１０１上に送信されることになる。その後、受信サーバ１は、送信サーバ２から転送されてきた電子メールを受信する。以下、その受信の際に実行される第２電子メール受信処理の詳細について説明する。
【００４０】
図７は、本実施の形態の受信サーバ１によって実行される第２電子メール受信処理の手順を示すフローチャートである。図７に示すとおり、受信サーバ１は、送信サーバ２から転送されてきた電子メールを受信する（Ｓ４０１）。次に、受信サーバ１は、受信した電子メールの送信側アドレスと受信側アドレスとの組と対応付けられている生成ルールが、生成ルールＤＢ１４Ｂに登録されているか否かを判定する（Ｓ４０２）。ここで登録されていないと判定した場合（Ｓ４０２でＮＯ）、受信サーバ１は、受信拒否情報をユーザ端末３に対して送信し（Ｓ４０３）、処理を終了する。
【００４１】
他方、ステップＳ４０２において生成ルールが登録されていると判定した場合（Ｓ４０２でＹＥＳ）、受信サーバ１は、その生成ルールを用いてパスワードを生成する（Ｓ４０４）。次に、受信サーバ１は、生成したパスワードと、ステップＳ４０１において受信した電子メールに付加されているパスワードとを照合し、一致するか否かを判定する（Ｓ４０５）。ここで、一致しないと判定した場合（Ｓ４０５でＮＯ）、受信サーバ１は、受信拒否情報をユーザ端末３に対して送信し（Ｓ４０３）、処理を終了する。また、ステップＳ４０５においてパスワードが一致すると判定した場合（Ｓ４０５でＹＥＳ）、受信サーバ１は、電子メールをメールＤＢ１４Ｄに登録し（Ｓ４０６）、処理を終了する。
【００４２】
なお、上記のステップＳ４０２において生成ルールが登録されていないと判定された場合、又はステップＳ４０５においてパスワードが一致しないと判定された場合、当該電子メールの送信側アドレス及び／又は件名等を受信サーバ１が蓄積しておき、適宜のタイミングでその蓄積した情報を電子メール等により受信者側に送信するようにしてもよい。これにより、どのような電子メールが迷惑メールと判断されたのかを受信者側で把握することが可能になる。これは第１電子メール受信処理におけるステップＳ３０５において生成ルールが登録されていないと判定された場合も同様であり、その場合、送信サーバ２が送信側アドレス及び／又は件名等の情報を受信者側に送信することになる。
【００４３】
上記の第２電子メール受信処理が実行された後、受信サーバ１は、ユーザ端末３を介して電子メールの受け取り要求を受信者から受け付けた場合、当該ユーザ端末３宛にメールＤＢ１４Ｄに登録されている電子メールを送信する。これにより、受信者は電子メールを受信することができる。
【００４４】
上記のとおり、本実施の形態では、送信サーバ２に登録されている生成ルールにより生成されたパスワードと、受信サーバ１に登録されている生成ルールにより生成されたパスワードとの照合に成功しなければ、受信者が電子メールを受信することはない。そのため、例えば、不正な者が、送信者になりすまして、送信サーバ２とは異なる送信側メールサーバを用いて迷惑メールを送信したとしても、その迷惑メールには送信サーバ２に登録されている生成ルールにより生成されたパスワードが付加されることはないため、受信サーバ１にて正常に受け付けられず、受信者がその迷惑メールを受け取ることはない。
【００４５】
また、不正な者が、送信サーバ２に登録されている生成ルールによって過去に生成されたパスワードを入手し、これを付加した上で迷惑メールを送信したとしても、当該生成ルールはその都度異なるパスワードを生成するものであるため、受信サーバ１にてパスワードの照合に成功することはない。したがって、その場合でも、受信者が迷惑メールを受け取ることはない。
【００４６】
また、本実施の形態の場合、送信側アドレスと受信側アドレスとの組毎に生成ルールが規定されているため、すべての電子メールに対して同じ生成ルールが適用される場合と比べて、より高いセキュリティを確保することができる。なお、このように送信側アドレスと受信側アドレスとの組ではなく、送信側ドメインと受信側アドレスとの組、送信側アドレスと受信側ドメインとの組、又は送信側ドメインと受信側ドメインとの組毎に生成ルールが規定されていてもよい。この場合でも、すべての電子メールに対して同じ生成ルールが適用される場合よりも高いセキュリティ確保することが可能である。
【００４７】
また、本実施の形態の場合、受信サーバ１及び送信サーバ２における生成ルールの設定が受信者によって行われるため、受信者が想定していない者から電子メールを受信することが回避でき、迷惑メールの受信が防止される。なお、受信者が設定権限を有している場合にのみ生成ルールの設定を行うことが可能になるため、生成ルールが不正に設定されることが防止される。
【００４８】
（実施の形態２）
実施の形態１の電子メールシステムでは、受信サーバ１及び送信サーバ２における生成ルールの設定が受信者によって行われる。これに対し、本実施の形態の電子メールシステムでは、送信者によって、受信サーバ１及び送信サーバ２における生成ルールの設定が行われる。
【００４９】
本実施の形態の電子メールシステムの構成は、実施の形態１の場合と同様である。また、本実施の形態の電子メールシステムが実行する処理についても、実施の形態１の場合と同様であるが、生成ルール設定処理において、特定の受信側アドレスに対して電子メールを送信することを希望する送信者が、その受信側アドレスと当該送信者に係る電子メールアドレス（送信側アドレス）との組、及びパスワードの生成ルールをユーザ端末３に対して入力し、ユーザ端末３がこれらの情報を含む生成ルール設定要求を受信サーバ１に対して送信する点が、実施の形態１の場合と異なっている。このような生成ルール設定要求により、送信者によって生成ルールが設定されることになる。受信サーバ１及び送信サーバ２にとって信用できる送信者のみが生成ルールの設定可能とすることにより、迷惑メールが送信されることが防止される。
【００５０】
（その他の実施の形態）
上記の実施の形態では、受信サーバ１及び送信サーバ２に同一の生成ルールが設定されているが、照合可能なパスワードを生成可能な生成ルールであれば、それぞれに異なるものが設定されていてもよい。つまり、受信サーバ１に設定されている第１生成ルールと送信サーバ２に設定されている第２生成ルールとが異なっており、第１生成ルールから生成される第１パスワードと第２生成ルールから生成される第２パスワードとが異なるものであっても、受信サーバ１においてこれらの第１パスワード及び第２パスワードが照合可能であれば構わない。
【００５１】
また、上述した実施の形態では、単一のコンピュータによって受信サーバ１及び送信サーバ２のそれぞれの機能が実現されているが、例えば複数のコンピュータによる分散システムによって受信サーバ１及び送信サーバ２のそれぞれの機能が実現されていてもよく、様々な態様が想定される。
【符号の説明】
【００５２】
１  受信側メールサーバ
１１  ＣＰＵ
１２  ＲＯＭ
１３  ＲＡＭ
１４  ハードディスク
１４Ａ  アドレスデータベース
１４Ｂ  生成ルールデータベース
１４Ｃ  設定権限データベース
１４Ｄ  メールデータベース
１５  通信インタフェース
１６  バス
２  送信側メールサーバ
２１  ＣＰＵ
２２  ＲＯＭ
２３  ＲＡＭ
２４  ハードディスク
２４Ａ  アドレスデータベース
２４Ｂ  生成ルールデータベース
２４Ｃ  設定権限データベース
２４Ｄ  メールデータベース
２５  通信インタフェース
２６  バス
３  ユーザ端末
１０１  インターネット
【図１】
2019145001.tif 000003
【図２】
2019145001.tif 000004
【図３】
2019145001.tif 000005
【図４】
2019145001.tif 000006
【図５】
2019145001.tif 000007
【図６】
2019145001.tif 000008
【図７】
2019145001.tif 000009